(57)【特許請求の範囲】
【請求項１】
先端に削孔用ビットを取付けた内管を外管内に挿入した二重管構造のボーリングロッドでもって地盤を削孔し、削孔後削孔中に外管を残し、削孔から内管を引き抜く地中削孔作業において、ボーリングロッドの外管と削孔の挿入口の削孔内面との間に半径方向に膨張できるストッパーリングを介在させ、内管を引き抜く時点でストッパーリングに液体を圧入して又は膨張する液体を注入して半径方向に膨張させて外管をそのストッパーリングの膨張圧で挿入口付近の削孔内面に固定させて、内管を引き抜くときに外管が共抜けしないようにすることを特徴とする地中削孔作業における外管抜け防止方法。
【請求項２】
先端に削孔用ビットを取付けた内管を外管内に挿入した二重管構造のボーリングロッドでもって地盤を削孔し、削孔後削孔中に外管を残し、削孔から内管を引き、その後残された外管内にセメント又は薬液を含む充填材の注入を行う地中削孔作業において、ボーリングロッドの外管と削孔の挿入口の削孔内面との間に半径方向に膨張できるストッパーリングを介在させ、内管を引き抜く時点でストッパーリングに液体を圧入して又は膨張する液体を注入して半径方向に膨張させて外管をそのストッパーリングの膨張圧で挿入口付近の削孔内面に固定させて、充填材注入を行うとき、外管が抜け出されないようにすることを特徴とする地中削孔作業における外管抜け防止方法。
【請求項３】
ストッパーリングの外周と地盤の挿入口付近の削孔内面との間にストッパーリングの長さより長い筒部材を間挿し、筒部材を介して削孔内面からの高い摩擦力を得るようにして外管をより強固に固定するようにした請求項１又は２記載の地中削孔作業における外管抜け防止方法。
【請求項４】
地盤の挿入口付近の削孔内面をストッパーリングより長い巾の範囲地盤改良して強固な筒状内周壁を形成し、同筒状内周壁を介して外管をより強固に固定させるようにした請求項１又は２記載の地中削孔作業における外管抜け防止方法。
【発明の詳細な説明】
【０００１】
【発明の属する技術分野】
本発明は、先端に削孔用ビットを取付けた内管とその外側の外管との二重管構造のボーリングロッドで地盤を削孔する地中削孔作業において、削孔後に外管は地中に残して埋設し、内管のみを削孔から引き抜くときに外管がともに外側へ移動して引き抜かれるようになる外管の共抜けを防止する及び外管内にセメント・薬液等充填材の注入作業時に、注入圧力による押し出しによって外管が抜け出さないように防止する技術に関する。
【０００２】
【従来の技術】
従来、先端に削孔用ビットを取付けた内管を径の大きい外管内に挿入した二重管構造のボーリングロッドが広く使用されている。使用するときは内管を回転させてビットを地盤に向けて押付けながら回転させて削孔させ、削孔しながらボーリングロッドを地中深くへ進めるようにして削孔作業を行っている。
削孔作業後は外管は地中に残して埋設し、内管は再使用のために地中の削孔から引き抜かれる。
内管を引き抜くときに、内管と外管の間に詰った土砂・切粉等によって内管の引き抜きとともに外管がともに外側へ移動し共抜けすることが生じている。共抜けが生じると内管の引き抜き作業に支障となるとともに再度外管を削孔中に打ち込まねばならない作業が生じる。そのため引き抜き作業に手間時間がかかるものとなっていた。又内管の引き抜き力の負荷も大きくなるものであった。
又内管を引き抜いて、地中に残した外管内にセメント・薬液等の充填材の注入作業時において、その充填材注入圧力によって外管の外方向への押し出しがおこって抜け出すことが発生している。
【０００３】
【発明が解決しようとする課題】
本発明が解決しようとする課題は、従来のこれらの問題点を解消し、内管引き抜き時及び充填材の注入作業時に外管が抜けがなく、内管の引き抜き作業・注入作業が容易且つ迅速に行える地中削孔作業における外管抜け防止方法を提供することにある。
【０００４】
【課題を解決するための手段】
かかる課題を解決した本発明の構成は、
１）  先端に削孔用ビットを取付けた内管を外管内に挿入した二重管構造のボーリングロッドでもって地盤を削孔し、削孔後削孔中に外管を残し、削孔から内管を引き抜く地中削孔作業において、ボーリングロッドの外管と削孔の挿入口の削孔内面との間に半径方向に膨張できるストッパーリングを介在させ、内管を引き抜く時点でストッパーリングに液体を圧入して又は膨張する液体を注入して半径方向に膨張させて外管をそのストッパーリングの膨張圧で挿入口付近の削孔内面に固定させて、内管を引き抜くときに外管が共抜けしないようにすることを特徴とする地中削孔作業における外管抜け防止方法
２）  先端に削孔用ビットを取付けた内管を外管内に挿入した二重管構造のボーリングロッドでもって地盤を削孔し、削孔後削孔中に外管を残し、削孔から内管を引き、その後残された外管内にセメント又は薬液を含む充填材の注入を行う地中削孔作業において、ボーリングロッドの外管と削孔の挿入口の削孔内面との間に半径方向に膨張できるストッパーリングを介在させ、内管を引き抜く時点でストッパーリングに液体を圧入して又は膨張する液体を注入して半径方向に膨張させて外管をそのストッパーリングの膨張圧で挿入口付近の削孔内面に固定させて、充填材注入を行うとき、外管が抜け出されないようにすることを特徴とする地中削孔作業における外管抜け防止方法
３）  ストッパーリングの外周と地盤の挿入口付近の削孔内面との間にストッパーリングの長さより長い筒部材を間挿し、筒部材を介して削孔内面からの高い摩擦力を得るようにして外管をより強固に固定するようにした前記１）又は２）記載の地中削孔作業における外管抜け防止方法
４）  地盤の挿入口付近の削孔内面をストッパーリングより長い巾の範囲地盤改良して強固な筒状内周壁を形成し、同筒状内周壁を介して外管をより強固に固定させるようにした前記１）又は２）記載の地中削孔作業における外管抜け防止方法
にある。
【０００５】
【発明の実施の形態】
本発明の内管・外管は数ｍの鋼管を継ぎながら長尺にして長い削孔を行うのが通常である。
本発明の半径方向に膨張できるストッパーリングとしては、袋体内に水等の液体を圧入して形状を半径方向に膨らませる方法、袋内に２液を注入して混合することで膨張する化学剤（例えば発泡樹脂等）を注入して外周面を膨張させる方法等ある。
又本発明のストッパーリングと地盤の挿入口の削孔内面との間に細長の管体を間装し、管体と削孔内面との間の大きい摩擦力によって外管をより強力に固定することが好ましい。又、挿入口の削孔内面をコンクリート・その他の硬化材で改良して長い筒状の内周壁を形成し、これをもって外管を確実且つ強固に固定することもできる。
【０００６】
【実施例】
以下、本発明の実施例を図面に基づいて説明する。
：実施例１（図１，２参照）
図１，２に示す実施例１は、ストッパーリングが環状袋体であって、液体を袋体内に圧入することで環状袋体を膨張させ、地盤の挿入口の削孔内面及び外管外周面に圧着し、外管の共抜けを防止しようとする例である。
図中、１は二重構造のボーリングリングロッド、１ａは同ボーリングロッドの鋼製外管、１ｂは先端に削孔用ビット（図示せず）を取付けた鋼製内管であって、複数本の管体を連結金具１ｅでもって連結されて長尺される。１ｃは連結金具、２は環状袋体のストッパーリング、２ａは同ストッパーリングの袋体内への液体注入チューブ、２ｂはズレ防止の止リング、３は地盤、３ａは地盤の削孔、３ｂは同削孔の挿入口、３ｃはコンクリートの鏡、４は内管１ｂ，外管１ａを押し付け、内管１ｂを回転させて削孔し、又内管１ｂを引き抜く機能を備えたボーリングロッド打込み装置である。
この実施例は、内管１ｂの引き抜き作業に入る前に、袋状のストッパーリング２内に液体注入チューブ２ａを介して液体を圧入し、半径方向に膨張させることでストッパーリング２は外管１ａの外周面と地盤３の挿入口３ｂの削孔内面に圧着して外管１ａを地盤３に固定させるものである。この状態でボーリングロッド打込み装置４を用いて内管１ｂを引き抜くようにすれば、内管１ｂと外管１ａとの間の土砂の詰り等による抵抗があっても、それに打ち勝って外管１ａを移動させないで内管１ｂのみを引き抜くことができるようになる。
又この装置で、内管１ｂを引き抜いた後、残った外管１ａの内部にセメント・薬液等の固化する充填材を注入する作業後において、外管１ａは地盤４に強固に固化されるため、その充填材の注入圧力によって押し出され外抜けすることもない。
【０００７】
：実施例２（図３参照）
図３に示す実施例２は挿入口３ｂ付近の地盤をコンクリートを注入して改良して筒状に整形し、コンクリート内周壁２０を形成し、その内側に実施例１と同様に袋状のストッパーリング２を配置したものである。この実施例２ではストッパーリング２を膨張させると地盤３にしっかりと固定された筒状のコンクリート外周壁２０に圧着して外管１ａを強固に固定させるものであり、実施例１の挿入口の状態が悪い場合に比べて確実に外管１ａを強力に固定できる。
外管１ａが挿入口に強力に固定されることで、内管１ｂの引き抜き作業時及び外管へ充填材を注入作業時に、外管１ａが外方向に抜け出すことがなくなる。他は実施例１と同様な構造・作用効果である。
【０００８】
：実施例３（図４参照）
図４に示す実施例３は、実施例２のコンクリート外周壁２０に代えて鋼管３０を挿入口付近に打ち込み、同鋼管３０内面に袋状のストッパーリング２を圧着させるものであり、実施例２と同様に挿入口の地盤状態が悪い場合でも確実に外管１ａを固定できる。他は実施例１と同様の構造・作用効果である。
【０００９】
【発明の効果】
以上の様に、本発明によればボーリングロッドの地盤の挿入口の削孔内面に半径方向に膨張できるストッパーリングを設けることで外管を地盤に固定し、内管の引き抜きの際に及び外管に充填材を注入作業する際に外方向に抜け出すことがないようにできた。
又、挿入口付近にストッパーリングより長い筒状部材・筒状内周壁を設けることでより確実に外管の抜けを防止できた。
【図面の簡単な説明】
【図１】実施例１の説明図である。
【図２】実施例１の要部を示す説明図である。
【図３】実施例２の説明図である。
【図４】実施例３の説明図である。
【符号の説明】
１  ボーリングロッド
１ａ  外管
１ｂ  内管
１ｃ  連結金具
２  ストッパーリング
２ａ  液体注入チューブ
２ｂ  止リング
３  地盤
３ａ  削孔
３ｂ  挿入口
３ｃ  鏡
４  ボーリングロッド打込装置
２０  コンクリート外周壁
３０  鋼管
【図１】
0004562256.tif 000002
【図２】
0004562256.tif 000003
【図３】
0004562256.tif 000004
【図４】
0004562256.tif 000005